(57)【特許請求の範囲】
【請求項１】
ケースと、縁部に半円形状の奥部よりも開口側が広くなるように扇形状に広がった切欠部を設け表面に複数の電子部品を実装したものであって前記ケースの底部に配置されたプリント配線基板と、電線を貫通する貫通孔が前記プリント配線基板の前記切欠部の奥部と直径がほぼ等しくかつ重なるように前記縁部から突出して前記プリント配線基板上に配設された零相変流器とを備え、前記ケースの前記底部と前記プリント配線基板に載置された前記零相変流器の前記切欠部における対向面との間に、前記零相変流器の前記貫通孔を貫通する電線の折り返し部が通る隙間を形成したプリント配線基板の零相変流器装着構造。
【発明の詳細な説明】
【０００１】
【発明の属する技術分野】
この発明は、漏電遮断器や漏電警報器等に使用されるプリント配線基板の零相変流器装着構造に関するものである。
【０００２】
【従来の技術】
従来例（例えば特開平6-52784 号) のプリント配線基板の零相変流器装着構造は、プリント配線基板に零相変流器を寝かせた状態で装着し、零相変流器の電線を貫通する貫通孔に重なる孔をプリント配線基板に形成していた。
また漏電遮断器等のケース内には電源端子と負荷端子とを結ぶ線に交差するようにプリント配線基板を縦に配置して、零相変流器の貫通孔およびプリント配線基板の孔に主回路の被覆導体を挿通していた。
【０００３】
【発明が解決しようとする課題】
しかし、漏電遮断器のケース内のスペースの関係上、プリント配線基板をケース内に横置きに配置した場合、ケースの底面に（下面）側に配置することとなる。この場合、主回路の被覆導体を配線する上で、零相変流器の上面側から下面側にかけて被覆導体を挿通した後にケースの底面側に位置する被覆導体を上面側に折り返す必要があり、そのため被覆導体を折り返す位置での占有スペースが大きくなり、ケースを大型化することなく漏電遮断器のケース内に収納する収納性が悪いという問題があった。
【０００４】
またプリント配線基板上に零相変流器の全体を載せているため、プリント配線基板が大型化した。
したがって、この発明の目的は、プリント配線基板を小型化し、ケース内への収納性を向上することができるプリント配線基板の零相変流器装着構造を提供することである。
【０００５】
【課題を解決するための手段】
請求項１記載のプリント配線基板の零相変流器装着構造は、ケースと、縁部に半円形状の奥部よりも開口側が広くなるように扇形状に広がった切欠部を設け表面に複数の電子部品を実装したものであって前記ケースの底部に配置されたプリント配線基板と、電線を貫通する貫通孔が前記プリント配線基板の前記切欠部の奥部と直径がほぼ等しくかつ重なるように前記縁部から突出して前記プリント配線基板上に配設された零相変流器とを備え、前記ケースの前記底部と前記プリント配線基板に載置された前記零相変流器の前記切欠部における対向面との間に、前記零相変流器の前記貫通孔を貫通する電線の折り返し部が通る隙間を形成したものである。
【０００６】
請求項１記載のプリント配線基板の零相変流器装着構造によれば、プリント配線基板の縁部に半円形状の奥部よりも開口側が広くなるように扇形状に広がった切欠部を形成し、この切欠部の奥部と直径がほぼ等しくかつ重なるように貫通孔を有する零相変流器をプリント配線基板から突出した状態に配設することにより、従来例と比較してプリント基板の大きさを小さくすることができ、また、電線を零相変流器に貫通させた後に折り返すときに、電線を零相変流器のみから折り返すことにより、電線の折返しスペースをプリント配線基板の厚さ分小さくすることができる。このため、漏電遮断器に収納するときの収納性が向上する。
【０００７】
また、プリント配線基板の前記切欠部が奥部よりも開口側が広くなるように扇形状に広がっているので、貫通孔に貫通させた電線を零相変流器の貫通側からプリント配線基板を介さずに折り返す折返し位置を幅広くとることができ、電線が外径の大きい被覆導体や複数の被覆導体でもコンパクトに収納することができる。
【０００８】
【発明の実施の形態】
この発明の一実施の形態を適用した漏電遮断器を図１から図５により説明する。すなわち、このプリント配線基板の零相変流器装着構造は、プリント配線基板１と、零相変流器２とを有する。
プリント配線基板１は、縁部１１に切欠部３を設け、表面に複数の電子部品６を実装している。切欠部３は半円形状の奥部４よりも開口５側が広くなるように扇形状に広がった形状をなしている。電子部品６は実施の形態ではプリント配線基板１の上面および下面の双方に実装している。
【０００９】
零相変流器２は、電線７〜９を貫通する貫通孔１０がプリント配線基板１の切欠部２に重なるように縁部１１から突出してプリント配線基板１上に配設されている。貫通孔１０と切欠部３との関係は貫通孔１０の直径と、奥部４の直径がほぼ等しく、貫通孔１０の中心を通る直径部分に対応する奥部４の両端位置から開口５側端部までを零相変流器２の貫通孔１０よりも外側になるように傾斜状に形成している。零相変流器２の外形は貫通孔１０に同心状の半周の円弧部１３と矩形部１２からなる形状をなし、円弧部１３がプリント配線基板１の縁部１１より外方に突出している。
【００１０】
電線７〜９は被覆導体であり、零相変流器２の上面側から貫通孔１０に貫通させ零相変流器２の下面側からプリント配線基板１を介さずに折り返すように配線される。電線７、８は主回路の被覆導体であり、電線９は漏電テスト用巻線の被覆導体である。
図４および図５に示す２極の漏電遮断器において、４０は外ケース、４１は中ケース、４２はカバーであり、これらを重ね合わせて２極の電路スペースを形成している。外ケース４０に設けた底部４３にプリント配線基板１をシールド板４４を介して配設し位置決め固定している。シールド板４４とプリント配線基板１との間は、シールド板４４とプリント配線基板１から突出した零相変流器２の対向面との間に電線７〜９の折返し部７ａ、８ａ、９ａが通る隙間を形成する寸法間隔に決めている。従来の場合、零相変流器の全体がプリント配線基板に載置されているのでシールド板またはシールド板がない場合の底部とプリント配線基板との間の隙間が折返し部が通る寸法にする必要があるため、この実施の形態と比較した場合、プリント配線基板１の厚さ分プリント配線基板１とシールド板との隙間が小さくなっており、したがって収納スペースが同じとするとこの実施の形態の方が折返し部の配線がしやすく収納しやすいこととなる。
【００１１】
１５は電源側または負荷側の一方の一対の端子、１６は他方の一対の端子、１７は可動接触子、１８は固定接触子、２０は異常電流検出装置であり、これらと電線７、８により漏電遮断器の内部電路が構成され、電線７、８間の漏電による不平衡電流が零相変流器２により検出される。２１は異常電流検出装置２０により動作する引外し装置である。２２は、復帰ばね２３ａ付きハンドル２３、反転リンク２４、および反転リンク２４を介してハンドル２３に連結された作動子２５からなる開閉機構部である。２７はハンドル２３のオンオフ操作により作動子２５を介して回動する復帰ばね２７ａ付き可動体であり、可動体２７に可動接触子１７を係合し、可動体２７の回動により可動接触子１７をオンオフ動作させる。３０は電磁石装置であり、零相変流器２の出力信号に基づいて電子回路により駆動し、伝達アーム３１を介して引外し装置２１を引外し動作させる。引外し装置２１は異常電流検出装置２０が動作したときも動作し、これらの引外し動作により作動子２５がラッチ状態から解放され、復帰ばね２７ａの作用により作動子２５を押上げ、同時に可動接触子１７が開極し、さらに漏電遮断の場合には漏電表示部材３３が突出するようになっている。
【００１２】
３３は漏電テスト釦であり、漏電テスト釦３３を押すと、プリント配線基板１に設けられた電子回路により電線９に電流が流れ、このため零相変流器２は不平衡電流を検出し、前記したように電磁石装置３０が動作して引外し装置２１を引外し動作させ、可動接触子１７が遮断する。
この実施の形態によれば、プリント配線基板１の縁部１１に切欠部３を形成し、この切欠部３に貫通孔１０が重なるように零相変流器２をプリント配線基板１から突出した状態に配設することにより、従来例と比較してプリント基板の大きさを小さくすることができ、また、電線７、８を零相変流器２に貫通させた後に折り返すときに、電線７、８を零相変流器２のみから折り返すことにより、電線７、８の折返しスペースをプリント配線基板１の厚さ分小さくすることができる。このため、漏電遮断器に収納するときの収納性が向上する。
【００１３】
またプリント配線基板１の切欠部３が奥部４よりも開口５側が広くなるように扇形状に広がっているため、貫通孔１０に貫通させた電線７、８を零相変流器２の貫通側からプリント配線基板１を介さずに折り返す折返し位置を幅広くとることができ、電線７，８が外径の大きい被覆導体や複数の被覆導体でもコンパクトに収納することができる。
【００１４】
【発明の効果】
請求項１記載のプリント配線基板の零相変流器装着構造によれば、プリント配線基板の縁部に半円形状の奥部よりも開口側が広くなるように扇形状に広がった切欠部を形成し、この切欠部の奥部と直径がほぼ等しくかつ重なるように貫通孔を有する零相変流器をプリント配線基板から突出した状態に配設することにより、従来例と比較してプリント基板の大きさを小さくすることができ、また、電線を零相変流器に貫通させた後に折り返すときに、電線を零相変流器のみから折り返すことにより、電線の折返しスペースをプリント配線基板の厚さ分小さくすることができる。このため、漏電遮断器に収納するときの収納性が向上する。
【００１５】
また、プリント配線基板の前記切欠部が奥部よりも開口側が広くなるように扇形状に広がっているので、貫通孔に貫通させた電線を零相変流器の貫通側からプリント配線基板を介さずに折り返す折返し位置を幅広くとることができ、電線が外径の大きい被覆導体や複数の被覆導体でもコンパクトに収納することができる。
【図面の簡単な説明】
【図１】この発明の一実施の形態の平面図である。
【図２】その底面図である。
【図３】正面図である。
【図４】漏電遮断器のカバーを外した状態の側面図である。
【図５】その分解斜視図である。
【符号の説明】
１    プリント配線基板
２    零相変流器
３    切欠部
４    奥部
５    開口
６    電子部品
７，８    電線
１０    貫通孔
１１    縁部
【図１】
0003843612.tif 000002
【図２】
0003843612.tif 000003
【図３】
0003843612.tif 000004
【図４】
0003843612.tif 000005
【図５】
0003843612.tif 000006